(57)【要約】  無線通信システムにおけるセル再選択の方法であって、パラメータは、システム情報ブロックで、ネットワークによって、ネットワーク上のＷＴＲＵに送信される。パラメータは、セルの信号電力および／または信号品質を表す式に加算され、または式から減算される。パラメータは、優先順位を付けることができる。計算の結果は、サービングセルおよび隣接セルのランク付けに使用される。隣接セルがサービングセルより高い品質を有する場合、ＷＴＲＵは、より良いセルを再選択する。ネットワークは、ＷＴＲＵがキャンプすることができないセルのブラックリスト、およびタイマが期限切れになると、セルが再選択について再度検討され得るセルごとの除外タイマを送信することができる。再選択の決定に関する情報は、ネットワークによって送信され、使用することができる。
2010521876.tif 000002
【特許請求の範囲】
【請求項１】
無線送受信ユニット（ＷＴＲＵ）によって実施される、サービスを提供している無線通信セルから隣接セルに切り替えるかどうかを決定するための方法であって、
セル再選択決定に関する少なくとも１つのパラメータを受信することと、
セルランク付け測定値を計算することであって、前記ＷＴＲＵが前記少なくとも１つのパラメータに関連付けられているセルにキャンプオンする可能性を高くするために、前記パラメータが加算され、または前記ＷＴＲＵが前記少なくとも１つのパラメータに関連付けられているセルにキャンプオンする可能性を低くするために、前記パラメータが減算されることと、
前記セルランク付け測定値に基づいて、前記サービングセルおよび前記少なくとも１つの隣接セルをランク付けすることと、
前記セルのランク付けに基づいてセル再選択の決定を行うことと
を含むことを特徴とする方法。
【請求項２】
前記少なくとも１つのパラメータは、システム情報ブロック（ＳＩＢ）で送信されることを特徴とする請求項１に記載の方法。
【請求項３】
少なくとも１つのパラメータは、セル負荷、帯域幅能力、および加入サービスから成るグループから選択されることを特徴とする請求項１に記載の方法。
【請求項４】
前記セルランク付け測定値は、少なくとも一部分、セル信号品質に基づくことを特徴とする請求項１に記載の方法。
【請求項５】
前記セル測定値は、少なくとも一部分、セル信号電力に基づくことを特徴とする請求項１に記載の方法。
【請求項６】
ＷＴＲＵがセルにキャンプオンすることを前記セルが可能にするべきであるかどうかを決定することと、
ＷＴＲＵが前記セルにキャンプオンするべきではないことを決定した場合、前記セルをブラックリストに追加することと、
前記ブラックリストをＷＴＲＵに送信することと、
再選択のためにセルをランク付けするとき、前記ブラックリストを参照することと、
セル再選択を行うとき、前記ブラックリストに含まれるセルを除外することと、
除外されないセルに基づいて、セルのランク付けを作成することと
を含むことを特徴とする無線通信セルを再選択する方法。
【請求項７】
セル再選択の決定のための複数のパラメータを識別することと、
優先順位を各パラメータに割り当てることと、
前記パラメータおよび関連の優先順位に基づいてセルランク付け測定値を計算することであって、前記ＷＴＲＵがパラメータに関連付けられているセルにキャンプオンする可能性を高くするために、前記パラメータが加算され、または前記ＷＴＲＵが前記パラメータに関連付けられているセルにキャンプオンする可能性を低くするために、前記パラメータが減算されることと、
前記セルのランク付けに基づいてセル再選択の決定を行うことと
を含むことを特徴とするセル再選択のための無線通信セルのランク付けの方法。
【請求項８】
前記セル再選択プロセスにおける因子を表す複数のパラメータを受信することと、
前記複数のパラメータに基づいてセル測定値を計算することと、
前記計算に基づいてセルのランク付けを決定することと、
前記セルのランク付けに基づいて再選択の決定を行うことと
を含むことを特徴とする無線通信セル再選択の方法。
【請求項９】
前記複数のパラメータのそれぞれに、優先順位が割り当てられることを特徴とする請求項８に記載の方法。
【請求項１０】
前記セル測定値は、セル信号電力測定値であることを特徴とする請求項８に記載の方法。
【請求項１１】
前記セル測定値は、セル信号品質測定値であることを特徴とする請求項８に記載の方法。
【請求項１２】
無線送受信ユニット（ＷＴＲＵ）であって、
セル再選択の決定に関する少なくとも１つのパラメータを受信するよう構成されている受信機と、
少なくとも１つのパラメータに基づいて、セルランク付け測定値を計算するよう構成されており、前記ＷＴＲＵがパラメータに関連付けられているセルにキャンプオンする可能性を高くするために、前記パラメータが加算され、または前記ＷＴＲＵが前記パラメータに関連付けられているセルにキャンプオンする可能性を低くするために、前記パラメータが減算され、前記セルランク付け測定値に基づいて、サービングセルおよび少なくとも１つの隣接セルをランク付けするセルランク付けユニットと、
セルのランク付けに基づいてセル再選択の決定を行うよう構成されているセル再選択ユニットと
を含むことを特徴とする無線送受信ユニット（ＷＴＲＵ）。
【請求項１３】
前記パラメータのうちの１つは、セル負荷、帯域幅能力、および加入サービスから成るグループから選択されることを特徴とする請求項１２に記載のＷＴＲＵ。
【請求項１４】
前記計算は、セル信号品質に基づくことを特徴とする請求項１２に記載のＷＴＲＵ。
【請求項１５】
前記計算は、セル信号電力レベルに基づくことを特徴とする請求項１２に記載のＷＴＲＵ。
【請求項１６】
無線送受信ユニット（ＷＴＲＵ）であって、
セル再選択の決定に関する少なくとも１つのパラメータを受信するよう構成されている受信機と、
セルに関連付けられている測定値を計算するよう構成されているセルランク付けユニットであって、前記ＷＴＲＵが再選択のために検討中のセルを選択する可能性を高くするために、前記少なくとも１つのパラメータが加算され、または前記ＷＴＲＵが再選択のために検討中のセルを選択する可能性を低くするために、前記少なくとも１つのパラメータが減算されるセルランク付けユニットと
を含むことを特徴とする無線送受信ユニット（ＷＴＲＵ）。
【請求項１７】
前記パラメータのうちの１つは、セル負荷、帯域幅能力、および加入サービスのグループから選択されることを特徴とする請求項１６に記載のＷＴＲＵ。
【請求項１８】
前記式は、セル信号品質に基づいてセル測定値を計算することを特徴とする請求項１６に記載のＷＴＲＵ。
【請求項１９】
前記式は、セル信号電力レベルに基づいてセル測定値を計算することを特徴とする請求項１６に記載のＷＴＲＵ。
【請求項２０】
パラメータＱcell_accessは、セル負荷およびセルの帯域幅能力に基づく情報を使用して作成されることを特徴とする請求項１６に記載のＷＴＲＵ。
【請求項２１】
前記受信機は、ＷＴＲＵが加入しているサービスにセルが対応することができないことをシステム情報メッセージで受信するようさらに構成されており、前記不可能なセルをセル再選択から除外し、次に高いランクのセルを再選択のために選択することを特徴とする請求項１６に記載のＷＴＲＵ。
【発明の詳細な説明】
【技術分野】
【０００１】
本発明は、無線通信システムに関する。より詳細には、本発明は、無線装置におけるセル再選択に関する。
【背景技術】
【０００２】
Ｔｈｉｒｄ  Ｇｅｎｅｒａｔｉｏｎ  Ｐａｒｔｎｅｒｓｈｉｐ  Ｐｒｏｊｅｃｔ（３ＧＰＰ）標準グループは、スペクトル効率の改善、待ち時間の低減、より高速のユーザ体験、並びに豊富なアプリケーションおよびサービスを低コストで提供するために、新しい技術、新しいネットワークアーキテクチャ、構成、並びに新しいアプリケーションおよびサービスを無線セルラーネットワークにもたらすＬｏｎｇ  Ｔｅｒｍ  Ｅｖｏｌｕｔｉｏｎ（ＬＴＥ）プログラムを最近開始した。ＬＴＥは、Ｅｖｏｌｖｅｄ  Ｕｎｉｖｅｒｓａｌ  Ｍｏｂｉｌｅ  Ｔｅｌｅｃｏｍｍｕｎｉｃａｔｉｏｎｓ  ｓｙｓｔｅｍ（ＵＭＴＳ）  Ｔｅｒｒｅｓｔｒｉａｌ  Ｒａｄｉｏ  Ａｃｃｅｓｓ  Ｎｅｔｗｏｒｋ（Ｅ−ＵＴＲＡＮ）を実現することを目的とする。
【０００３】
Ｕｎｉｖｅｒｓａｌ  Ｍｏｂｉｌｅ  Ｔｅｌｅｃｏｍｍｕｎｉｃａｔｉｏｎｓ  Ｓｙｓｔｅｍ（ＵＭＴＳ）において、無線送受信ユニット（ＷＴＲＵ）は、セルにキャンプオン（camp on）する場合、１組の基準に従ってより良いセルを定期的に検索する。より良いセルが見つかったときは、そのセルが選択される。以前のＵＭＴＳシステムでは、ＷＴＲＵは、アイドルモードで、あるいは前方アクセスチャネル（ＦＡＣＨ）またはページングチャネル（ＰＣＨ）において、セル再選択を行うことができる。２つの状態、すなわち、ＬＴＥ＿ＩｄｌｅおよびＬＴＥ＿ａｃｔｉｖｅしかないＬＴＥにおいては、ＷＴＲＵは、ＬＴＥ＿Ｉｄｌｅ状態でしか、セル再選択を行うことができない。
【０００４】
以前のシステムでは、ＷＴＲＵは、あるセルにキャンプオンすることを決定する前に、現在キャンプオンしているセルの基本的な基準をチェックすることが必要である。Ｓqual＞０  ＡＮＤ  Ｓrxlev＞０は、セルにキャンプオンするために満たされる必要のある条件である。Ｓqualは、次のように測定される。
【０００５】
【数１】
2010521876.tif 000003
【０００６】
式中、
【０００７】
【数２】
2010521876.tif 000004
【０００８】
は、ＷＴＲＵによって測定される、対応するセルの信号対干渉比であり、Ｑqualminは、システムによってブロードキャストされるシステム情報ブロック３（ＳＩＢ３）から取得する。
【０００９】
信号受信レベルＳrxlevは、次のように測定される。
Ｓrxlev＝ＲＳＣＰ−Ｑrxlevmin−ｍａｘ（ＵＥ＿ＴＸＰＷＲ＿ＭＡＸ＿ＲＡＣＨ−Ｐ＿ＭＡＸ，０）                                              式（２）
式中、受信信号符号電力（received signal code power：ＲＳＣＰ）は、ＷＴＲＵによって測定され、最低限必要な品質Ｑrxlevminは、ＲＳＣＰに基づいて測定され、最大許容アップリンク送信機電力ＵＥ＿ＴＸＰＷＲ＿ＭＡＸ＿ＲＡＣＨは、後述するように、ＳＩＢ３で送信されるシステムパラメータである。
【００１０】
Ｑqualmin、Ｑrxlevmin、およびＵＥ＿ＴＸＰＷＲ＿ＭＡＸ＿ＲＡＣＨと共に、他のパラメータは、これに限定されないが、ＳＩＢ３で送信される以下のパラメータを含めて、セル再選択のためにＳＩＢ３およびＳＩＢ１１で送信される。
・  Ｓintrasrch（オプション）：Ｓqual≦Ｓintrasearchのとき、隣接する周波数内セル（intra-frequency neighbor cell）を測定する。指定されていないとき、常に、隣接する周波数内セルを測定する。
・  Ｓintersrch（オプション）：Ｓqual≦Ｓintersearchのとき、隣接する周波数間セル（inter-frequency neighbor cell）を測定する。指定されていないとき、常に、隣接する周波数間セルを測定する。
・  ＳｓｅａｒｃｈＲＡＴ（オプション）：Ｓqual≦ＳsearchRATのとき、隣接する無線アクセス技術（ＲＡＴ）間セルを測定する。指定されていないとき、常に、隣接するＲＡＴ間セルを測定する。
・  Ｑhyst1s：基準信号符号電力（Reference Signal Code Power：ＲＳＣＰ）に基づくサービングセル（serving cell）のランク付けに使用する。
・  Ｑhyst2s：Ｅｃ／Ｉｏに基づくサービングセルのランク付けに使用する。
・  Ｑqualmin：Ｅｃ／Ｉｏに基づく最低限必要な品質尺度。
・  Ｑrxlevmin：ＲＳＣＰに基づく最低限必要な品質尺度。
・  ＵＥ＿ＴＸＰＷＲ＿ＭＡＸ＿ＲＡＣＨ：最大許容アップリンク（ＵＬ）ＴＸ電力。
・  Ｔreselection：隣接セルが好ましくセル再選択基準を満たし、ＷＴＲＵによって再選択されるようになるための時間。
・  セル選択および再選択品質尺度：Ｅｃ／ＩｏまたはＲＳＣＰ：ランク付けの基とすべき測定量を指定する。
【００１１】
以下は、システム情報ブロック（ＳＩＢ）１１で送信されるパラメータである。
・  隣接リスト。
・  Ｑoffset1s,n：ＲＳＣＰに基づくセルのランク付けに使用される品質オフセット。
・  Ｑoffset2s,n：Ｅｃ／Ｉｏに基づくセルのランク付けに使用される品質オフセット。
・  ＵＥ＿ＴＸＰＷＲ＿ＭＡＸ＿ＲＡＣＨ：隣接セルの最大許容アップリンク（ＵＬ）送信機（ＴＸ）電力。
・  Ｑqualmin：Ｅｃ／Ｉｏに基づく最低限必要な品質尺度。
・  Ｑrxlevmin：ＲＳＣＰに基づく最低限必要な品質尺度。
【００１２】
これらのパラメータを使用して、ＷＴＲＵは、そのサービングセルおよび隣接セルをランク付けすることができる。サービングセルをランク付けするための式は、以下のように与えられる。
Ｒａｎｋ＿ｓ＝Ｅｃ／Ｉｏ＋Ｑhyst2＋Ｑoffmbms              式（３）
隣接セルをランク付けするための式は、以下のように与えられる。
Ｒａｎｋ＿ｎ＝Ｅｃ／Ｉｏ−Ｑｏｆｆｓｅｔ２＋Ｑoffmbms      式（４）
【００１３】
測定量がＲＳＣＰであるとき、類似のランク付けの式が存在する。信号で送られる値Ｑoffmbmsは、マルチメディアブロードキャスト／マルチキャストサービス（ＭＢＭＳ）優先の周波数層（ＰＬ）に属する（サービングまたは隣接）セルに加算される。
【００１４】
しかし、セル再選択の上記の基準の使用では、セル負荷およびＷＴＲＵの帯域幅能力など、他の因子を考慮に入れない。ＬＴＥでは、直交周波数分割多重（ＯＦＤＭ）が物理層媒体である場合、これらの因子は、セル再選択プロセスを駆動する際に重要な役割を果たす。ＬＴＥの開発において、セル負荷およびＷＴＲＵの帯域幅能力を考慮することに加えて、考慮された他の因子を、以下の表１に示す。
【００１５】
【表１】
2010521876.tif 000005
【００１６】
表１に含まれるドライバーについて、以下で詳しく説明する。
【００１７】
最適な無線状態
周波数内、周波数間、ＲＡＴ間にかかわらず、セル再選択の主な目的は、例えばパス損失、受信基準信号電力、受信基準シンボルＥｓ／Ｉｏなど、無線状態の観点から最適なセルにＵＥが確実にキャンプオンする／接続するようにすることである。
【００１８】
キャンプ負荷バランシング
これは、アクティブにする際、帯域／キャリア／ＲＡＴのトラフィック負荷のバランスをとるように、使用可能な帯域／キャリア／ＲＡＴにアイドル状態のＵＥを分配することである。
【００１９】
トラフィック負荷バランシング
これは、例えば、転送を使用して、アクティブ状態のＵＥの負荷調整のバランスをとることである。Ｅ−ＵＴＲＡＮにおいて、トラフィック負荷バランシングは、共有チャネルの性質上、不可欠である。すなわち、セルにおけるアクティブなＵＥの数が増えるにつれて、ユーザスループットが低減し、負荷調整は、ユーザに直接知覚されうるものとなる。
【００２０】
ＵＥ能力
Ｅ−ＵＴＲＡＮ帯域／キャリアは、将来拡張される可能性があるので、異なる帯域能力を有するＵＥが１つのネットワーク内に共存する可能性がある。また、ローミング中のＵＥが異なる帯域能力を有する可能性もある。異なるＲＡＴの重なり合いによって、この多様性が増す。
【００２１】
階層セル構造
ＵＴＲＡＮのように、階層セル構造（ＨＣＳ）をＥ−ＵＴＲＡＮで使用して、例えば屋内やホットスポットなどを効率的にカバーすることができる。Ｅ−ＵＴＲＡＮを、最初にホットスポットのみに配備することが可能であり、この場合、このドライバーは、周波数間だけではなく、ＲＡＴ間でも不可欠になる。他の使用の場合で、通常のセルをいくつも配備せず、大きいアンブレラセル（umbrella cell）を１つ配備して広い領域をカバーすると同時に、別の周波数上では通常のセルによって収容能力を提供することがある。
【００２２】
ネットワーク共有
ネットワークの共有部分の端部では、異なる公衆陸上移動ネットワーク（Public Land Mobile Network：ＰＬＭＮ）に属するＵＥを異なるターゲットセルにあわせることが必要である。したがって、アイドル状態およびアクティブ状態での移動局処理は、異なるオペレータのＵＥを区別できるようにしなければならない。
【００２３】
プライベートネットワーク／ホームセル
あるサブネットワークの一部分となっているセルは、そのサブネットワークへのキャンプオンを優先しなければならない。プライベートサブネットワークに属さないＵＥは、それらへのキャンプまたはアクセスを試みないものとする。
【００２４】
加入ベースのモビリティ制御
このモビリティのドライバーは、例えば加入または他のオペレータポリシーに基づいて、いくつかのＵＥのＲＡＴ間モビリティを制限することを目的とする。
【００２５】
サービスベースのモビリティ制御
オペレータは、いくつかのサービスに周波数を割り振る際に異なるポリシーを使用することができる。例えば、評価によってこれが有効であることがわかると、オペレータは、Ｖｏｉｃｅ  ｏｖｅｒ  Ｉｎｔｅｒｎｅｔ  Ｐｒｏｔｏｃｏｌ（ＶｏＩＰ）ＵＥをある周波数層またはＲＡＴ（例えば、ＵＴＲＡＮまたはＧＥＲＡＮなど）に集めることができる。
【００２６】
ＭＢＭＳ
いくつかの周波数層においてしかＭＢＭＳサービスを提供することができないので、ＵＥが特定のＭＢＭＳサービスを受信するかどうかによっては、周波数／ＲＡＴ間のモビリティを制御することが有益／必要である場合がある。
【００２７】
モビリティ制御についての制限
上述した問題は、「積極的な」モビリティ制御のためにＥ−ＵＴＲＡＮを駆動するが、制限因子も考慮する必要がある。以下に列挙する因子は、すべての周波数内、周波数間、およびＲＡＴ間のモビリティのシナリオに当てはまる。
【００２８】
ＵＥバッテリ節約
モビリティの処理は、例えば、測定、測定報告、ブロードキャストチャネル（ＢＣＨ）受信、またはターミナルアダプタ（ＴＡ）更新シグナリングなどのために、過度のＵＥバッテリを消費しないものとする。
【００２９】
ネットワークシグナリング／処理負荷
モビリティの処理は、過度のネットワークシグナリング／処理負荷をもたらさないものとする。これは、無線によるシグナリング、Ｓ１／Ｘ２シグナリング、およびネットワークノードでの処理負荷を含む。不要なハンドオーバーおよびセル再選択は、回避する必要があり、ページングチャネル（ＰＣＨ）およびＢＣＨシグナリング、および専用シグナリングは、制限する必要がある。これは、ＵＥバッテリの節約に関する類似の対策によって達成することができる。
【００３０】
ユーザプレーンにおける中断（Ｕ-ｐｌａｎｅ  ｉｎｔｅｒｒｕｐｔｉｏｎ）およびデータ損失
モビリティの処理によってもたらされるユーザプレーンにおける中断およびデータ損失を押さえる必要がある。いかなる場合も、必要なＱｏＳを満たす必要がある。
【００３１】
運用、管理、保守（ＯＡＭ）の複雑性
モビリティの処理は、ネットワークの運用／保守にあたっての過度の労力を必要としないものとする。例えば、新しいｅＮｏｄｅＢ（ｅＮＢ）が追加されるとき、または既存のｅＮＢが故障したとき、モビリティの処理においては、パラメータを設定し、または変更するのに過度の労力を被らないものとする。
【発明の概要】
【発明が解決しようとする課題】
【００３２】
セル再選択プロセスがより複雑化することに鑑み、ＷＴＲＵおよびネットワークが再選択プロセスに関する情報を互いに信号で伝える方法を有することは有用なことである。
【課題を解決するための手段】
【００３３】
ネットワークおよびＷＴＲＵのパラメータをＷＴＲＵとネットワークとの間に信号で伝える方法は、実行に伴いセル再選択プロセスに関する重要なパラメータを組み込むために、セル再選択アルゴリズムを定義する。異なるパラメータに優先順位を付けるためのプロセスも説明する。ネットワークが再選択の決定の理由について通知される、ＷＴＲＵからネットワークへのセル再選択の理由の伝達のためのシグナリング方式についても説明する。
【図面の簡単な説明】
【００３４】
【図１】セル再選択に使用する式を示す図である。
【図２】セル再選択におけるセル負荷パラメータの使用を示すブロック図である。
【図３】セル再選択における帯域幅能力パラメータの使用を示すブロック図である。
【図４】セル再選択における加入サービスパラメータの使用を示すブロック図である。
【図５】セル再選択におけるブラックリストの使用を示すブロック図である。
【図６】ＭＢＭＳセルがどのようにセル再選択に含まれ、または除外されるかを示すブロック図である。
【図７】セル再選択に使用されるパラメータに優先順位を割り当てる方法を示すブロック図である。
【発明を実施するための形態】
【００３５】
以下に参照するとき、「無線送受信ユニット（ＷＴＲＵ）」という用語は、それだけには限定されないが、ユーザ機器（ＵＥ）、移動局、固定式または携帯式の加入者ユニット、ページャ、セルラー電話、個人用デジタル補助装置（ＰＤＡ）、コンピュータ、または無線環境で動作することができる他の任意のタイプのユーザ装置を含む。以下に参照するとき、「基地局」という用語は、それだけに限定されないが、Ｎｏｄｅ−Ｂ、サイトコントローラ、アクセスポイント（ＡＰ）、または無線環境で動作することができる他の任意のタイプのインターフェイス装置を含む。
【００３６】
以下は、好ましくは本発明の一実施形態で使用される、再選択の決定に影響を与える場合がある因子のリストである。
１．ＷＴＲＵ測定値
２．ネットワークによって送信されるオフセットおよびヒステリシス値
３．セル負荷調整（ｌｏａｄｉｎｇ）
４．ＷＴＲＵおよびネットワークのＢＷ能力
５．ＭＢＭＳ
６．最適な無線状態
７．キャンプ負荷バランシング
８．トラフィック負荷バランシング
９．ＵＥ能力
１０．階層セル構造
１１．ネットワーク共有
１２．プライベートネットワーク／ホームセル
１３．加入ベースのモビリティ制御
１４．サービスベースのモビリティ制御
１５．ＭＢＭＳ
１６．ＵＥバッテリ消費節減
１７．ネットワークシグナリング／処理負荷
１８．Ｕ面中断およびデータ損失
１９．運用、管理、保守（ＯＡＭ）の複雑性
【００３７】
ＷＴＲＵ測定値、およびネットワークによって送信されるオフセットおよびヒステリシス値は、セル再選択基準に組み込まれる。ＭＢＭＳセルのオフセットも含まれる。しかし、ＭＢＭＳ基準は、ＷＴＲＵおよびネットワークがＭＢＭＳセルへキャンプオンするか否かを決定することができるように変更される。
【００３８】
セル負荷およびＷＴＲＵおよびネットワークの帯域幅能力も、本明細書では、再選択パラメータとして導入される。
【００３９】
以下、再選択についてセルをランク付けするための計算を行う例を説明する。Ｌｏｎｇ  Ｔｅｒｍ  Ｅｖｏｌｕｔｉｏｎ（ＬＴＥ）プロジェクトにおいて、セル品質に使用される測定値は、基準信号受信電力（Reference Signal Received Power：ＲＳＲＰ）および基準信号受信品質（Reference Signal Received Quality：ＲＳＲＱ）である。以前のバージョンのＵｎｉｖｅｒｓａｌ  Ｍｏｂｉｌｅ  Ｔｅｌｅｃｏｍｍｕｎｉｃａｔｉｏｎｓ  Ｓｙｓｔｅｍｓ（ＵＭＴＳ）では、受信信号符号電力（ＲＳＣＰ）および信号対干渉比Ｅｃ／Ｉｏがそれぞれ使用されていた。提供される例では、再選択ランク付け測定を行うために、上述した数量を使用することはできるが、本明細書の目的から逸脱することなく、これらの数量に代わりに、他の任意の適した信号電力または信号品質の測定値を使用することができる。任意の他の測定値がセル再選択プロセスに使用されている場合、本明細書に記載した概念は、こうした他の測定値にも同様に適用可能であり、その結果、本明細書にも含まれることを、当業者であれば理解されよう。
【００４０】
ＷＴＲＵは、ネットワークシステム情報ブロック（ＳＩＢ）から様々な情報を受信する。受信された情報は、セル再選択決定プロセスに因子として含められる。図１は、再選択アルゴリズムにおいていくつかのパラメータを使用した再選択のためのセルのランク付けを示す例１００を示す。ＷＴＲＵと検討中のセルとの間の信号は、信号電力および信号品質に関し評価される。信号電力は、他のセルの信号と比較するため、信号電力測定式１０１を使用して定量化することができる。同様に、信号品質は、他のセルの品質測定値との比較のため、品質測定式１０３を使用することによって定量化することができる。
【００４１】
この例において、基準信号受信電力（ＲＳＲＰ）は、電力測定式１０１において、信号電力品質の基礎として使用される。基準信号受信品質（ＲＳＲＱ）は、品質測定式１０３において示すような信号品質の基礎として使用される。他のパラメータ１０５ａ、１０５ｂ、１０５ｃおよび１０５ｄを示す。これらは、セル負荷、帯域幅能力、ＷＴＲＵの加入サービス、およびセルがＭＢＭＳセルかどうかを表すパラメータを含んでいる。これらのパラメータは、以下により詳細に説明するが、セルの再選択のためのランク付けの処理中にＷＴＲＵによって決定されるよう、電力測定式１０１および／または品質測定式１０３に代入される。例えば、ＷＴＲＵが、加入していたサービスに基づいて、セル選択に優先順位を付けている場合、パラメータＱsubs１０５ｃは電力測定式１０１および品質測定式１０３に代入する。パラメータ１０５ａ、１０５ｂ、１０５ｃ、１０５ｄを式１０１および１０３に加算することによって、電力測定値または品質測定値がそれぞれ高くなる。ランク付けプロセスで測定値を使用するとき、品質測定値または電力測定値がより高いと、検討中のセルが再選択に選択される可能性が高くなる。逆に、パラメータ１０５ａ、１０５ｂ、１０５ｃ、１０５ｄが電力測定式１０１または品質測定式１０３から減算される場合、結果として得られる測定値は、より低くなり、それによって検討中のセルは、再選択に選択される可能性が低くなる。
【００４２】
複数のパラメータ１０５ａ、１０５ｂ、１０５ｃ、１０５ｄを、測定式１０１、１０３に代入することができる。これらは、任意の組合せで測定値に加算され、またはそこから減算することができる。パラメータ１０５ａ、１０５ｂ、１０５ｃ、１０５ｄの種類、および再選択アルゴリズムを考慮してＷＴＲＵがパラメータ１０５をいかに見るかで、どの場合にパラメータ１０５ａ、１０５ｂ、１０５ｃ、１０５ｄによってセルの選択が優先になり、それが加算されるか、セルへのキャンプオンが不利になり、このパラメータ１０５ａ、１０５ｂ、１０５ｃ、１０５ｄが減算されるかを決定する。
【００４３】
ＲＳＲＰおよびＲＳＲＱは、ここでは、一例として示すが、適した任意の測定値を使用することができる。様々なパラメータ１０５ａ、１０５ｂ、１０５ｃ、１０５ｄを説明したように加算または減算して、セル再選択のランク付けを行っても依然として本発明の範囲内に含まれる。
【００４４】
図２には、セルパラメータＱcell_loadを使用した方法２００を示す図である。ネットワークは、セルのトラフィック負荷またはセルのキャンプ負荷を表すことができるパラメータＱcell_loadを作成する（ブロック２０１）。別の実施形態において、Ｑcell_loadは、セルのトラフィック負荷およびキャンプ負荷の両方を表す単一のパラメータでもよい。別の実施形態において、パラメータＱcell_loadは、特定のセルに残されたリソースの量を表すことができる。
【００４５】
パラメータＱcell_loadが決定された後、ネットワークは、このパラメータをＷＴＲＵに送信して、システム情報ブロックでパラメータを伝える（ブロック２０３）。パラメータＱcell_loadは、ＱqualminおよびＱrxlevminに組み込まれていない。というのは、これは、異なる期間にわたってセルによってその値が変わり得るパラメータだからである。しかし、一実施形態において、セル負荷パラメータＱcell_loadは、パラメータＱqualminおよびＱrxlevminに組み込むことができるが、これらは、異なる時間間隔にわたって異なるセルにわたって変化することになる。また、これを、ネットワークがＱcell_loadを送信しない場合もあるオプションのパラメータとして扱うこともでき、この場合、それによってそのセルにキャンプオンするためのＷＴＲＵの基準は、再選択プロセスで使用される他の因子で構成される。セルの状況が変化すると、Ｑcell_loadは、再送信を必要とするようにするか、または定期的に、予め定められたある時間間隔で再送信するように構成することができる。
【００４６】
Ｑcell_loadの値に基づいて、検討中のセルが、ＷＴＲＵがキャンプオンを希望するセルとして好ましい場合（ブロック２０５）、パラメータＱcell_loadは、そのセルの信号電力および品質測定値に加算される（ブロック２０９）。Ｑcell_loadの値を信号電力および品質測定値に加算することによって、セルのランク付けは、他の隣接セルに対して高くなる。Ｑcell_loadの値のために、検討中のセルが、ＷＴＲＵがキャンプオンすることを選んだセルでない場合、Ｑcell_loadの値は、信号電力および品質測定値から減算される（ブロック２０７）。Ｑcell_loadの値を減算することによって、セルは、他の隣接セルと比べて、より低い信号電力および品質測定値を有することとなり、それによって、そのセルがＷＴＲＵによるセル再選択で選択される可能性が低くなる。サービングセルおよび隣接セルの信号電力および品質測定値が計算された後、サービングセルおよび隣接セルは、ランク付けされる（ブロック２１１）。隣接セルが、現在のサービングセルより高い信号電力および／または品質測定値を有する場合、ＷＴＲＵは、より良い信号を有するセルを選択し、より良いセルにキャンプオンし（ブロック２１３）、この処理は、次のセルのランク付けまで終了する。
【００４７】
セルの負荷が大きい場合、ネットワークは、ＷＴＲＵがそのセルにキャンプオンすることを全く望まない場合がある。この場合Ｑcell_loadを大きい値とし、それをＷＴＲＵに送信し、次いでＱcell_loadをセルの信号電力および品質測定値から減算することによって、セルがＷＴＲＵによりキャンプオンされる可能性をかなり低くする。
【００４８】
セルの品質測定は、次のように記述することができる。
Ｓqual＝ＲＳＲＱ−Ｑqualmin±Ｑcell_load                式（５）
【００４９】
信号電力は、以下によって表すことができる。
Ｓrxlev＝ＲＳＲＰ−Ｑrxlevmin−ｍａｘ（ＵＥ＿ＴＸＰＷＲ＿ＭＡＸＲＡＣＨ−Ｐ＿ＭＡＸ，０）±Ｑcell_load                                  式（６）
【００５０】
以下に示すように、セルのランク付けに使用される他のパラメータと共に、パラメータＱcell_loadも含めることができる。サービングセルのランク付けも、同様に保持することができる。
Ｒａｎｋ＿ｓ＝ＲＳＲＱs＋Ｑhyst2±ＱoffMBMS                式（７）
【００５１】
隣接セルについて、ランク付けの式は、次のように変更され得る。
Ｒａｎｋ＿ｎ＝ＲＳＲＱn−Ｍｉｎ（Ｑoffset2，Ｑhpst）±Ｑcell_load±Ｑbw_cap±Ｑsubs±ＱoffMBMS                                       式（８）
【００５２】
図３は、セルパラメータＱbw_capを使用した方法３００を示す図である。ネットワークの帯域幅能力は、システム情報を介してＷＴＲＵに送信される（ブロック３０１）。ＷＴＲＵは、ネットワークによって伝えられる帯域幅能力に基づいて、パラメータＱbw_capを計算する（ブロック３０３）。
【００５３】
セルの帯域幅能力がＷＴＲＵのものと一致する場合（ブロック３０５）、パラメータＱbw_capは、そのセルの信号電力および品質測定値に加算される（ブロック３０９）。Ｑbw_capの値を信号電力および品質測定値に加算することによって、セルのランク付けは、他の隣接するセルに対して高くなる。セルとＷＴＲＵとの間の帯域幅能力の不一致のために、検討中のセルが、ＷＴＲＵがキャンプオンすることを選んだセルでない場合、Ｑbw_capの値は、信号電力および品質測定値から減算される（ブロック３０７）。Ｑbw_capの値を減算することによって、セルは、隣接セルと比べて、より低い信号電力および品質測定値を有し、それによって、セルがＷＴＲＵによってセル再選択のために選択される可能性が低くなる。サービングセルおよび隣接セルの信号電力および品質測定値が計算された後、サービングセルおよび隣接セルは、ランク付けされる（ブロック３１１）。隣接セルが、現在のサービングセルより高い信号電力および／または品質測定値を有する場合、ＷＴＲＵは、より良い信号を有するセルを選択し、より良いセルにキャンプオンし（ブロック３１３）、この方法３００は、次のセルのランク付けまで終了する。
【００５４】
別の実施形態において、ＷＴＲＵは、最初のセル選択時に、または接続状態になった後、無線リソース制御（ＲＲＣ）メッセージを介して、ネットワークにその帯域幅能力を信号で伝えているかもしれない。こうした場合、パラメータＱbw_capは、ネットワークによって送信することができ、セルランク付け式に直接加算し、またそこから直接減算することができる。
【００５５】
ＷＴＲＵがその帯域幅能力を前もって信号で伝えている場合、ネットワークは、その情報を、使用可能なセルリソースの自身の情報と共に使用して、２つのパラメータＱcell_loadとＱbw_capとを結合した単一パラメータＰcell_accessを送信することができる。パラメータＰcell_accessを隣接セルランク付けに加算するか、そこから減算して、式８が以下に変更され得る。
Ｒａｎｋ＿ｎ＝ＲＳＲＱn−Ｍｉｎ（Ｑoffset2，Ｑhyst）±Ｐcell_access±Ｑsubs±ＱoffMBMS                                              式（９）
【００５６】
加入サービスは、ネットワークにおける異なるＷＴＲＵの間で異なる可能性があるため、ｅＮｏｄｅＢがパラメータＱsubsをＰcell_accessに組み込むことは難しい場合がある。
【００５７】
図４は、セルパラメータＱsubsを使用した方法４００を示す図である。ブロック４０１に示すように、ネットワークは、システム情報ブロックで、そのセルで対応しているサービスを送信する。次いで、ＷＴＲＵは、検討中のセルで対応しているサービスに基づいて、パラメータＱsubsを計算する（ブロック４０３）。
【００５８】
ＷＴＲＵが加入しているサービスにそのセルが対応している場合（ブロック４０５）、パラメータＱsubsは、そのセルの信号電力および品質測定値に加算される（ブロック４０９）。Ｑsubsの値を信号電力および品質測定値に加算することによって、セルのランク付けは、他の隣接セルに対して高くなる。ＷＴＲＵが加入しているすべてのサービスに、検討中のセルが対応していないため、そのセルが、ＷＴＲＵがキャンプオンすることを選んだセルではない場合、ブロック４０７に示すように、Ｑsubsの値は、信号電力および品質測定値から減算される。Ｑsubsの値を減算することによって、そのセルは、他の隣接するセルと比べて、より低い信号電力および品質測定値を有し、それによって、セルがＷＴＲＵによってセル再選択のために選択される可能性が低くなる。サービングセルおよび隣接セルの信号電力および品質測定値が計算された後、サービングセルおよび隣接セルは、ランク付けされる（ブロック４１１）。隣接セルが、現在のサービングセルより高い信号電力および／または品質測定値を有する場合、ＷＴＲＵは、より良い信号を有するセルを選択し、より良いセルにキャンプオンし（ブロック４１３）、この方法４００は、次のセルのランク付けまで終了する。
【００５９】
ＷＴＲＵが加入しているまたは取得を望んでいるサービスにセルが対応していない場合、ＷＴＲＵは、サービスに対応してないことに基づいて、そのセルにキャンプオンしないことを決定することができる。こうした場合、セルのランク付けを下げ、ＷＴＲＵによるその選択を除くために、非常に大きい値のＱsubsを、セルの信号電力および品質測定値から減算することができる。
【００６０】
ＷＴＲＵがすでにその帯域幅能力を信号で伝えている場合、ネットワークは、その情報を、使用可能なセルリソースの自身の情報との組合せで使用して、その情報に基づいてＷＴＲＵがキャンプオンすることを可能にするべきではないセルのブラックリストを送信することができる。こうした場合の隣接セルのランク付けは、以下によって計算される。
Ｒａｎｋ＿ｎ＝ＲＳＲＱn−Ｍｉｎ（Ｑoffset2，Ｑhyst）±Ｑsubs±ＱoffMBMS                                                                式（１０）
【００６１】
セル負荷および帯域幅能力を組み込むことなくセルをブラックリストに載せた場合、ネットワークとしては、ＷＴＲＵがキャンプオンするのをできれば避けたいが、負荷自体は小さいセルがあり、そのセルの再選択の余地を完全に除きたくないような自体が発生する潜在的な問題が存在する。これは、ブラックリストで処理することはできない。ブラックリストに載せることでは、このような自体を処理できない。図５を参照すると、ブラックリストを除外タイマ（barring timer）と連携して使用する方法５００が示されている。ＷＴＲＵは、それが現在サービス提供されているセルより良いセルを定期的に検索する（ブロック５０１）。ネットワークは、その帯域幅能力および使用可能なセルリソースの自身の情報に関係する、ＷＴＲＵによって提供された情報に基づいて、ＷＴＲＵがキャンプオンすることを可能にするべきではないセルのブラックリストを、ブラックリスト内の各セルがキャンプオンから除外されるべき期間を示す除外タイマと共に送信する。ブラックリストおよび除外タイマは、ＷＴＲＵで受信する（ブロック５０３）。隣接セルをランク付けするとき、ＷＴＲＵは、検討中のセルがブラックリストに含まれているかどうかを確認する（ブロック５０５）。セルがブラックリストに含まれている場合、ＷＴＲＵは、そのセルに関連付けられている除外タイマが期限切れになっているかどうかを確認する（ブロック５０７）。除外タイマが期限切れになっていない場合、そのセルは、セルのランク付けから除外される（ブロック５１１）。そのセルがブラックリストにない（ブロック５０５）、または除外タイマが期限切れになっている（ブロック５０７）場合、そのセルは、セルのランク付けに入れられる（ブロック５０９）。いずれにしても、それが所与のセルを含むかどうかにかかわらず、セルのランク付けが使用され、キャンプオンするセルの再選択の決定が行われ（ブロック５１３）、方法５００は終了する。
【００６２】
ネットワークがマルチメディアブロードキャスト／マルチキャストサービス（ＭＢＭＳ）セルを優先しようとしているかどうかに応じて、こうしたセルについて、パラメータＱoffMBMSを加算したり減算したりすることができる。この決定は、ＷＴＲＵが加入しているサービスのタイプに基づいて、ネットワークによって行うことができる。ＷＴＲＵがＭＢＭＳセルにキャンプオンすることを可能にすることをネットワークが望んでいないと決定することができる。こうした場合、図６に示すように、セル再選択アルゴリズムを変更することができる。
【００６３】
図６は、ＷＴＲＵがＭＢＭＳセルにキャンプオンすることが許可されているかどうか、ネットワークが任意選択でＷＴＲＵに信号で伝える方法６００を示す図である。ＷＴＲＵは、それが現在サービス提供されているセルより良い信号を有する新しいセルを定期的に検索する（ブロック６０１）。次いでネットワークは、ＭＢＭＳセルにキャンプオンすることができるかどうかをＷＴＲＵに知らせるインジケータを、システム情報ブロックで、ＷＴＲＵに送信する（ブロック６０３）。ＷＴＲＵがＭＢＭＳセルにキャンプオンすることが許可されている場合（ブロック６０５）、そのセルがＭＴＲＵにとって望ましくなる何らかの因子のために、そのセルが好適であるかどうかが決定される（ブロック６０７）。セルが好適とみなされた場合、ＱoffMBMSの値は、セルの信号電力および品質測定値に加算される（ブロック６１１）。セルが好適と見られない場合、パラメータＱoffMBMSの値は、信号電力および品質測定値から減算される（ブロック６１３）。
【００６４】
ブロック６０５で、ＷＴＲＵがＭＢＭＳセルにキャンプオンすることができないことをネットワークが示した場合、ＷＴＲＵは、ＭＢＭＳセルであるとネットワークが示すセルをセルのランク付けから除外し、ＭＢＭＳセルは、セルのランク付けプロセスにおいて考慮されない。ＷＴＲＵがキャンプオンすることを許可されるすべての隣接セルについて、信号電力および品質測定値に基づくセルのランク付けが行われ（ブロック６１５）、ＷＴＲＵに現在サービスを提供しているセルより高い測定値を有するセルが見つかった場合、セル再選択が行われ（ブロック６１７）、方法６００は終了する。
【００６５】
一部のシナリオでは、ネットワークは、帯域幅能力やセル負荷など他のパラメータより、ＷＴＲＵ測定値など一部のパラメータをより優先したい場合もあり得る。ネットワークは、異なるパラメータ間の相対的な優先順位の指示の絶対値を信号で伝えることができ、ＷＴＲＵは、優先順位情報を使用して、いくつかの予め定義されたルールに従って、そのセル再選択基準を調整することができる。あるいは、ネットワークは、オプションのスケーリングパラメータを、ＷＴＲＵに信号で伝えられるパラメータと共に信号で伝えて、スケーリングパラメータを式に適用することができる。一般に、ランク付けパラメータのそれぞれに異なるスケーリング係数（重み）がある可能性があり、ランク付けの式は、サービングセルの場合、
Ｒａｎｋ＿ｓ＝ＲＳＲＱS＋Ｑhyst2±ＱoffMBMS               式（１１）
隣接セルの場合、
Ｒａｎｋ＿ｎ＝ＲＳＲＱn−ａ＊Ｍｉｎ（Ｑoffset2，Ｑbyst）±ｂ＊Ｑcell_load±ｃ＊Ｑbw_cap±ｄ＊Ｑsubs±ｅ＊ＱoffMBMS                  式（１２）
となり、式中、ａ、ｂ、ｃ、ｄおよびｅは、それぞれのパラメータのスケーリング係数、Ｑoffset2は、ＲＳＣＰに基づくオフセット値、Ｑhystは、セルのヒステリシスに基づくランク付けに使用される係数、ＱoffMBMSは、セルがＭＢＭＳセルであるかどうかに基づいてオフセットされるランク付け係数である。
【００６６】
あるいは、隣接のランク付けの式は、以下のように書くことができる。
Ｒａｎｋ＿ｎ＝ＲＳＲＱn−Σiαi＊Ｑparam                   式（１３）
式中、指数ｉは、式に存在するパラメータの数に応じて０から値Ｍまで変わり、αは、０から値Ｎまで変わり得るスケーリング係数を表す。Ｑparamは、上述したようなセル再選択のための異なるパラメータを表す。
【００６７】
図７は、セル再選択プロセス７００においてスケーリング係数をパラメータに適用する方法を示す図であり、ネットワークは、セル再選択手順で使用されている１つまたは複数のパラメータの優先順位を設定する（ブロック７０１）。次いでネットワークは、優先順位の指示（priority indicia）を送信するか、あるいは、再選択の式におけるパラメータの一部またはすべてに対して適用されるスケーリング係数をＷＴＲＵに送信する（ブロック７０３）。ＷＴＲＵは、優先順位の指示またはスケーリング係数を、セル再選択プロセスにおいてパラメータに適用する（ブロック７０５）。次いで、隣接セルおよびサービングセルごとの信号電力および品質測定値を計算するために式が評価され、信号電力および品質測定値の結果に基づいて、ランク付けが行われる（ブロック７０７）。ＷＴＲＵが現在サービス提供されているサービングセルより高い信号電力および品質測定値を有するセルが見つかった場合、ブロック７０９に示されるように、セル再選択を行い、より良いセルにキャンプオンすることが決定され、ここで、セル再選択方法は終了する。
【００６８】
上記のシナリオのすべてにおいて、ネットワークには、ＷＴＲＵ上で行われるシナリオおよびサービスに応じて、ランク付けまたは閾値検出のためのパラメータの一部を信号で伝えないオプションを提供することもできる。この場合、ＷＴＲＵは、それが導出するまたはネットワークから受信されるどんなパラメータでも、ランク付けの計算を実行するために使用することができる。
【００６９】
さらに、セルが再選択を行った理由をネットワークが認識していた場合も有用となる可能性がある。ＷＴＲＵが新しいセルにキャンプオンした理由に関する情報、例えば再選択の決定を行う際の一番の因子、新しいセルが選択された上位Ｎ個の理由などを、ネットワークに送信することができる。例えばいくつかのセルにおいて対応されているサービスのためという、ＷＴＲＵがセルを再選択している理由により、ネットワークは、その情報を、負荷バランシングに、およびセル再選択プロセスのためにネットワークによって送信されるべきパラメータの値への入力として使用することができる。
【００７０】
システム情報読み取り段階中、隣接セルは、ＷＴＲＵの能力の事前の知識、加入サービス、およびそれ自体のリソースの知識を有する場合、その時点でＷＴＲＵがセルにキャンプオンできることを望むかどうかをＷＴＲＵに示すことができる。ＷＴＲＵがそれにキャンプオンできることを、隣接セルが望んでいない場合、ＷＴＲＵは、そのランク付けリストにおける次のセルにキャンプオンすることができる。隣接セルによって、ＷＴＲＵがそれにキャンプオンすることができる場合、ＷＴＲＵは、そのセルをキャンプするために再選択することができる。
【００７１】
実施形態において、特徴および要素が特定の組合せで記載されているが、各特徴または要素は、他の特徴および要素無しに単独で、または他の特徴および要素の有無にかかわらず様々な組合せで使用することができる。提供された方法またはフローチャートは、汎用コンピュータまたはプロセッサによって実行するために、コンピュータ読取可能な記憶媒体に有形で組み込まれるコンピュータプログラム、ソフトウェア、またはファームウェアにおいて実施することができる。コンピュータ読取可能な記憶媒体の例には、読み取り専用メモリ（ＲＯＭ）、ランダムアクセスメモリ（ＲＡＭ）、レジスタ、キャッシュメモリ、半導体メモリ装置、内蔵ハードディスクおよび取外式ディスクなどの磁気媒体、光磁気媒体、およびＣＤ−ＲＯＭディスクおよびデジタル多目的ディスク（ＤＶＤ）などの光媒体などがある。 
【００７２】
適したプロセッサには、例として、汎用プロセッサ、専用プロセッサ、従来のプロセッサ、デジタル信号プロセッサ（ＤＳＰ）、複数のマイクロプロセッサ、ＤＳＰコアと関連する１つまたは複数のマイクロプロセッサ、コントローラ、マイクロコントローラ、特定用途向け専用回路（ＡＳＩＣ）、フィールドプログラマブルゲートアレイ（ＦＰＧＡ）回路、他の任意のタイプの集積回路（ＩＣ）および／または状態機械などがある。
【００７３】
ソフトウェアと関連するプロセッサは、無線送受信ユニット（ＷＴＲＵ）、ユーザ機器（ＵＥ）、端末、基地局、無線ネットワークコントローラ（ＲＮＣ）、または任意のホストコンピュータで使用するための無線周波数トランシーバを実施するために使用することができる。ＷＴＲＵは、カメラ、ビデオカメラモジュール、テレビ電話、スピーカフォン、振動デバイス、スピーカ、マイクロフォン、テレビ送受信機、ハンズフリーヘッドセット、キーボード、Ｂｌｕｅｔｏｏｔｈ（登録商標）モジュール、周波数変調（ＦＭ）無線ユニット、液晶ディスプレイ（ＬＣＤ）装置、有機発光ダイオード（ＯＬＥＤ）表示装置、デジタル音楽プレーヤ、メディアプレーヤ、ビデオゲームプレーヤモジュール、インターネットブラウザ、および／または任意の無線ローカルエリアネットワーク（ＷＬＡＮ）モジュールなど、ハードウェアおよび／またはソフトウェアで実施されるモジュールと共に使用することができる。
【００７４】
実施形態
１．セル再選択の決定に関する少なくとも１つのパラメータを作成すること
を含む無線通信システムにおいてセルを再選択する方法。
２．無線送受信ユニット（ＷＴＲＵ）に少なくとも１つのパラメータを送信することをさらに含む実施形態１によって特徴付けられる方法。
３．セルランク付け測定値を計算するための式に少なくとも１つのパラメータを代入することであって、ＷＴＲＵがパラメータに関連付けられているセルにキャンプオンする可能性を高くするために、パラメータが加算され、またはＷＴＲＵがパラメータに関連付けられているセルにキャンプオンする可能性を低くするために、パラメータを減算することをさらに含む上記実施形態のうちのいずれかによって特徴付けられる方法。
４．セルランク付け測定値に基づいて、サービングセル、および少なくとも１つの隣接セルをランク付けすることをさらに含む上記実施形態のうちのいずれかによって特徴付けられる方法。
５．セルのランク付けに基づいてセル再選択の決定を行うことをさらに含む上記実施形態のうちのいずれかによって特徴付けられる方法。
６．少なくとも１つのパラメータは、システム情報ブロック（ＳＩＢ）で送信される上記実施形態のうちのいずれかによって特徴付けられる方法。
７．作成することは、ｅＮｏｄｅＢによって行われる上記実施形態のうちのいずれかによって特徴付けられる方法。
８．作成することは、ＷＴＲＵによって行われる上記実施形態のうちのいずれかによって特徴付けられる方法。
９．パラメータのうちの１つは、セル負荷、帯域幅能力、および加入サービスのグループから選択される上記実施形態のうちのいずれかによって特徴付けられる方法。
１０．式は、セル信号品質に基づいてセル測定値を計算する上記実施形態のうちのいずれかによって特徴付けられる方法。
１１．式は、セル信号電力レベルに基づいてセル測定値を計算する上記実施形態のうちのいずれかによって特徴付けられる方法。
１２．パラメータＱcell_accessは、セル負荷およびセルの帯域幅能力に基づく情報を使用して作成される上記実施形態のうちのいずれかによって特徴付けられる方法。
１３．ＷＴＲＵが加入しているサービスにセルが対応することができないことを、システム情報メッセージで送信することをさらに含む上記実施形態のうちのいずれかによって特徴付けられる方法。
１４．システム情報読み取り段階中、システム情報メッセージを受信することをさらに含む上記実施形態のうちのいずれかによって特徴付けられる方法。
１５．適さないセルをセル再選択から除外し、次に高いランクのセルを再選択のために選択することをさらに含む上記実施形態のうちのいずれかによって特徴付けられる方法。
１６．ＷＴＲＵがそれにキャンプオンすることをセルが可能にするべきかどうかを決定することを含む無線通信システムにおいてセルを再選択する方法。
１７．ＷＴＲＵがセルにキャンプオンするべきではないことを決定した場合、セルをブラックリストに加算することをさらに含む実施形態１６の方法。
１８．ブラックリストをＷＴＲＵに送信することをさらに含む実施形態１６〜１７のうちのいずれかによって特徴付けられる方法。
１９．再選択のためにセルをランク付けするとき、ブラックリストを参照することをさらに含む実施形態１６〜１８のうちのいずれかによって特徴付けられる方法。
２０．セル再選択を行うとき、ブラックリストに含まれるセルを除外することをさらに含む実施形態１６〜１９のうちのいずれかによって特徴付けられる方法。
２１．除外されないセルに基づいて、セルのランク付けを作成することをさらに含む実施形態１６〜２０のうちのいずれかによって特徴付けられる方法。
２２．ブラックリストに追加されているセルごとに、除外タイマを確立することをさらに含む実施形態１６〜２１のうちのいずれかによって特徴付けられる方法。
２３．除外タイマを、ブラックリストと共に、ＷＴＲＵに送信することをさらに含む実施形態１６〜２２のうちのいずれかによって特徴付けられる方法。
２４．ランク付けされているセルがブラックリストに含まれる場合、除外タイマに関連付けられる有効期限を現在の時間と比較し、現在の時間が有効期限を過ぎている場合、ランク付けされているセルをセルのランク付けに含める実施形態１６〜２３のうちのいずれかによって特徴付けられる方法。
２５．有効期限が期間として表され、経過時間と比較される実施形態１６〜２４のうちのいずれかによって特徴付けられる方法。
２６．セル再選択の決定における因子を表す複数のパラメータを識別することを含む無線通信システムにおけるセル再選択のためのセルのランク付けの方法。
２７．各パラメータに優先順位を割り当てることをさらに含む実施形態２６によって特徴付けられる方法。
２８．無線送受信ユニット（ＷＴＲＵ）に複数のパラメータおよび関連の優先順位の指示を送信することをさらに含む実施形態２６〜２７のうちのいずれかによって特徴付けられる方法。
２９．関連のパラメータに優先順位の指示を適用することをさらに含む実施形態２６〜２８のうちのいずれかによって特徴付けられる方法。
３０．セルランク付け測定値を計算するための式に優先順位の指示および関連のパラメータを代入し、ＷＴＲＵがパラメータに関連付けられているセルにキャンプオンする可能性を高くするために、パラメータが加算され、ＷＴＲＵがパラメータに関連付けられているセルにキャンプオンする可能性を低くするために、パラメータを減算することをさらに含む実施形態２６〜２９のうちのいずれかによって特徴付けられる方法。
３１．セルのランク付けに基づいてセル再選択の決定を行うことをさらに含む実施形態２６〜３０のうちのいずれかによって特徴付けられる方法。
３２．優先順位は、関連のパラメータのうちの一部として送信される実施形態２８〜３１のうちのいずれかによって特徴付けられる方法。
３３．優先順位は、関連のパラメータと共に、スケーリング係数として送信される実施形態２８〜３１のうちのいずれかによって特徴付けられる方法。
３４．セル再選択のプロセスにおける因子を表す複数のパラメータを送信することを含む無線通信システムにおけるセル再選択の方法。
３５．複数のパラメータを受信し、セル測定値を計算するために、式にそれらを代入することをさらに含む実施形態３４によって特徴付けられる方法。
３６．複数のパラメータに行われる計算からセルのランク付けを作成することをさらに含む実施形態３４〜３５のうちのいずれかによって特徴付けられる方法。
３７．セルのランク付けに基づいて再選択の決定を行うことをさらに含む実施形態３４〜３６のうちのいずれかによって特徴付けられる方法。
３８．再選択の決定で使用される少なくとも１つの因子を送信することをさらに含む実施形態３４〜３７のうちのいずれかによって特徴付けられる方法。
３９．複数のパラメータのそれぞれに優先順位が割り当てられ、セル測定値を計算するとき、優先順位が関連のパラメータに適用される実施形態３５〜３９のうちのいずれかによって特徴付けられる方法。
４０．セル測定値は、セル信号電力レベル測定値である実施形態３５〜３９のうちのいずれかによって特徴付けられる方法。
４１．セル測定値は、セル信号品質測定値である実施形態３５〜４０のうちのいずれかによって特徴付けられる方法。
４２．セル再選択の決定における因子を表す少なくとも１つのパラメータを受信するよう構成されている受信機を含む無線送受信ユニット（ＷＴＲＵ）。
４３．セルランク付け測定値を計算するための式に少なくとも１つのパラメータを代入するよう構成されており、ＷＴＲＵがパラメータに関連付けられているセルにキャンプオンする可能性を高くするために、パラメータが加算され、ＷＴＲＵがパラメータに関連付けられているセルにキャンプオンする可能性を低くするために、パラメータを減算し、セルランク付け測定値に基づいて、サービングセルおよび少なくとも１つの隣接セルをランク付けするセルランク付けプロセッサをさらに含む実施形態４２によって特徴付けられるＷＴＲＵ。
４４．セルのランク付けに基づいてセル再選択の決定を行い、選択されたセルにキャンプオンするよう構成されているセル再選択プロセッサをさらに含む実施形態４２〜４３のうちのいずれかによって特徴付けられるＷＴＲＵ。
４５．パラメータのうちの１つは、セル負荷、帯域幅能力、および加入サービスのグループから選択される実施形態４２〜４４のうちのいずれかによって特徴付けられるＷＴＲＵ。
４６．式は、セル信号品質に基づいてセル測定値を計算する実施形態４４〜４５のうちのいずれかによって特徴付けられるＷＴＲＵ。
４７．式は、セル信号電力レベルに基づいてセル測定値を計算する実施形態４４〜４６のうちのいずれかによって特徴付けられるＷＴＲＵ。
４８．少なくとも１つのパラメータのうちの１つは、セル負荷およびセルの帯域幅能力に基づく情報を使用して作成されるパラメータＱcell_accessである実施形態４４〜４７のうちのいずれかによって特徴付けられるＷＴＲＵ。
４９．受信機は、ＷＴＲＵが加入しているサービスにセルが対応することができないことをシステム情報メッセージで受信するようさらに構成されており、適さないセルをセル再選択から除外し、次に高いランクのセルを再選択のために選択する実施形態４４〜４８のうちのいずれかによって特徴付けられるＷＴＲＵ。
５０．ＷＴＲＵがキャンプオンすることができないセルを含むブラックリストを受信するよう構成されている受信機を含む無線送受信ユニット（ＷＴＲＵ）。
５１．セルランク付け計算からブラックリストに含まれるセルを除外するよう構成されているセルランク付けプロセッサをさらに含む実施形態５０によって特徴付けられるＷＴＲＵ。
５２．セルのランク付けに基づいてセルを選択するよう構成されているセル再選択プロセッサをさらに含み、セルのランク付けは、ブラックリストに含まれるセルを除外する実施形態５０〜５１のうちのいずれかによって特徴付けられるＷＴＲＵ。
５３．受信機は、ブラックリスト内の各セルに関連付けられている除外タイマを受信するようさらに構成されており、セルランク付けプロセッサは、除外タイマ有効期限を現在の時刻と比較し、除外タイマ有効期限が現在の時刻より前である場合、セルランク付け計算に除外タイマに関連付けられているセルを含めるようさらに構成されている実施形態５２によって特徴付けられるＷＴＲＵ。
５４．除外タイマ有効期限は、事前に選択された期間であり、セルランク付けプロセッサは、除外タイマ有効期限を経過時間と比較し、除外タイマ有効期限が経過時間より短い場合、セルランク付け計算に除外タイマと関連付けられているセルを含めるよう構成されている実施形態５３によって特徴付けられるＷＴＲＵ。
５５．セル再選択の決定における因子を表す少なくとも１つのパラメータを受信するよう構成されている受信機を含む無線送受信ユニット（ＷＴＲＵ）。
５６．式に少なくとも１つのパラメータを代入するよう構成されているセルランク付けプロセッサをさらに含み、式は、セルに関連付けられている測定値を計算し、ＷＴＲＵが再選択のために検討中のセルを選択する可能性を高くするために、少なくとも１つのパラメータが式に加算され、ＷＴＲＵが再選択のために検討中のセルを選択する可能性を低くするために、少なくとも１つのパラメータが式から減算される実施形態５５によって特徴付けられるＷＴＲＵ。
５７．パラメータのうちの１つは、セル負荷、帯域幅能力、および加入サービスのグループから選択される実施形態５６によって特徴付けられるＷＴＲＵ。
５８．式は、セル信号品質に基づいてセル測定値を計算する実施形態５６〜５７のうちのいずれかによって特徴付けられるＷＴＲＵ。
５９．式は、セル信号電力レベルに基づいてセル測定値を計算する実施形態５６〜５８のうちのいずれかによって特徴付けられるＷＴＲＵ。
６０．パラメータＱcell_accessは、セル負荷およびセルの帯域幅能力に基づく情報を使用して作成される実施形態５６〜５９のうちのいずれかによって特徴付けられるＷＴＲＵ。
６１．受信機は、ＷＴＲＵが加入しているサービスにセルが対応することができないことをシステム情報メッセージで受信するようさらに構成されており、不可能なセルをセル再選択から除外し、次に高いランクのセルを再選択のために選択する実施形態５６〜６０のうちのいずれかによって特徴付けられるＷＴＲＵ。
６２．ＷＴＲＵが複数の因子に基づいてキャンプオンするセルを再選択するよう構成されているセル再選択プロセッサと、
セル再選択の決定を行うよう使用された少なくとも１つの因子を送信するよう構成されている送信機と
を含む無線送受信ユニット。
６３．セル再選択の決定における因子を表す少なくとも１つのパラメータを信号で伝えるよう構成されており、少なくとも１つのパラメータは、システム情報ブロック（ＳＩＢ）で伝えられる送信機を含む基地局。
６４．無線送受信ユニット（ＷＴＲＵ）がキャンプオンするべきではないセルのブラックリストを作成するよう構成されているブラックリストプロセッサをさらに含む実施形態６３によって特徴付けられる基地局。
６５．ブラックリストプロセッサは、ブラックリストに含まれるセルごとに除外タイマを作成するようさらに構成されている請求項６４によって特徴付けられる基地局。
６６．送信機は、ブラックリスト、および除外タイマのうちの少なくとも１つを、少なくとも１つのパラメータと共に送信するようさらに構成されている実施形態６５によって特徴付けられる基地局。
６７．少なくとも１つのパラメータのそれぞれの優先順位インジケータを割り当てるよう構成されている優先順位プロセッサをさらに含む実施形態６３〜６６のうちのいずれかによって特徴付けられる基地局。
６８．さらに含み、送信機は、少なくとも１つのパラメータと共に、各優先順位インジケータを送信するようさらに構成されている請求項６３〜６７のうちのいずれかによって特徴付けられる基地局。
６９．無線送受信ユニット（ＷＴＲＵ）がセルにキャンプオンするべきではないことを示す、ＷＴＲＵが加入しているサービスにセルが対応することができない旨をシステム情報メッセージでブロードキャストするよう構成されている送信機を含む基地局。
７０．セル再選択を行う際、無線送受信ユニット（ＷＴＲＵ）によって使用される因子を含むメッセージを受信するよう構成されている受信機を含む基地局。
７１．メッセージは、セル再選択決定で使用される因子を表す少なくとも１つのパラメータを計算するために使用される実施形態７０によって特徴付けられる基地局。
７２．メッセージは、負荷バランシングを管理するために使用される実施形態７０〜７１のうちのいずれかによって特徴付けられる基地局。
【図１】
2010521876.tif 000006
【図２】
2010521876.tif 000007
【図３】
2010521876.tif 000008
【図４】
2010521876.tif 000009
【図５】
2010521876.tif 000010
【図６】
2010521876.tif 000011
【図７】
2010521876.tif 000012
【手続補正書】
【提出日】平成21年11月16日(2009.11.16)
【手続補正１】
【補正対象書類名】特許請求の範囲
【補正対象項目名】全文
【補正方法】変更
【補正の内容】
【特許請求の範囲】
【請求項１】
無線送受信ユニット（ＷＴＲＵ）によって実行される、サービングセルから少なくとも１つの隣接セルのうちの１つの隣接セルを再選択する方法であって、
前記サービングセルおよび前記少なくとも１つの隣接セルの各々のセル負荷、ならびに前記サービングセルおよび前記少なくとも１つの隣接セルの各々のセル帯域幅能力を含み、セルの再選択の決定に関する、各々値を有する複数のパラメータを受信するステップと、
前記複数のパラメータの各々の前記値をスケーリングするステップと、
前記複数のスケーリングされたパラメータのうちの少なくとも１つを使用して、前記サービングセルおよび前記少なくとも１つの隣接セルの各々のセルランク付け測定値を計算するステップであって、スケーリングされたパラメータの値をセルランク付け測定値に加算することによって、前記ＷＴＲＵが前記パラメータに関連付けられているセルにキャンプオンする可能性を高くし、前記スケーリングされたパラメータの前記値を前記セルランク付け測定値から減算することによって、前記ＷＴＲＵが前記パラメータに関連付けられている前記セルにキャンプオンする可能性を低くするステップと、
前記セルランク付け測定値に基づいて、前記サービングセルおよび前記少なくとも１つの隣接セルをランク付けするステップと、
前記セルのランク付けに基づいて前記セルの再選択の決定を行うステップと
を備えたことを特徴とする方法。
【請求項２】
前記複数のパラメータのうちの少なくとも１つは、システム情報ブロック（ＳＩＢ）で送信されることを特徴とする請求項１に記載の方法。
【請求項３】
前記複数のパラメータのうちの少なくとも１つは、前記パラメータに関連付けられている前記セルの加入サービスを示すことを特徴とする請求項１に記載の方法。
【請求項４】
前記セルランク付け測定値は、少なくとも一部分、前記セルのセル信号品質パラメータに基づくことを特徴とする請求項１に記載の方法。
【請求項５】
前記セル測定値は、少なくとも一部分、前記セルのセル信号電力パラメータに基づくことを特徴とする請求項１に記載の方法。
【請求項６】
前記複数のパラメータの各々は、優先順位を割り当てられ、
前記複数のパラメータの各々の前記値をスケーリングするステップは、前記パラメータに関連付けられている前記セルの前記割り当てられた優先順位に基づいてスケーリングすることを特徴とする請求項１に記載の方法。
【請求項７】
無線送受信ユニット（ＷＴＲＵ）であって、
サービングセルおよび前記少なくとも１つの隣接セルの各々のセル負荷、ならびに前記サービングセルおよび前記少なくとも１つの隣接セルの各々のセル帯域幅能力を含み、セルの再選択の決定に関する、各々値を有する複数のパラメータを受信するよう構成される受信機と、
前記複数のパラメータの各々の前記値をスケーリングするよう構成されるセルランク付けユニットであって、
前記複数のスケーリングされたパラメータのうちの少なくとも１つを使用して、前記サービングセルおよび前記少なくとも１つの隣接セルの各々のセルランク付け測定値を計算するよう構成されており、スケーリングされたパラメータの値をセルランク付け測定値に加算することによって、前記ＷＴＲＵが前記パラメータに関連付けられているセルにキャンプオンする可能性を高くし、前記スケーリングされたパラメータの前記値を前記セルランク付け測定値から減算することによって、前記ＷＴＲＵが前記パラメータに関連付けられているセルにキャンプオンする可能性を低くし、
前記セルランク付け測定値に基づいて、前記サービングセルおよび前記少なくとも１つの隣接セルをランク付けするよう構成されるセルランク付けユニットと、
前記セルのランク付けに基づいて前記セルの再選択の決定を行うよう構成されるセル再選択ユニットと
を備えたことを特徴とする無線送受信ユニット（ＷＴＲＵ）。
【請求項８】
前記複数のパラメータのうちの１つは、前記パラメータに関連付けられている前記セルによってサービス提供される加入サービスであることを特徴とする請求項７に記載のＷＴＲＵ。
【請求項９】
前記セルランク付けユニットは、前記セルのセル信号品質パラメータに基づいて、前記セルランク付け測定値を計算するよう構成されることを特徴とする請求項７に記載のＷＴＲＵ。
【請求項１０】
前記セルランク付けユニットは、前記セルのセル信号電力レベルパラメータに基づいて、前記セルランク付け測定値を計算するよう構成されることを特徴とする請求項７に記載のＷＴＲＵ。
【請求項１１】
前記セルランク付けユニットは、前記セル負荷および前記セルの前記帯域幅能力に基づく情報を使用して、各セルのＱcell_accessパラメータを決定するようさらに構成されることを特徴とする請求項７に記載のＷＴＲＵ。
【請求項１２】
前記受信機は、前記ＷＴＲＵが加入しているサービスにセルが対応することができないことを示す指示を含むシステム情報メッセージを受信するようさらに構成されており、
前記セル再選択ユニットは、前記ＷＴＲＵが加入しているサービスに対応することができないことが前記システム情報メッセージによって示されるセルを、セルの再選択から除外するようさらに構成されており、
前記セル再選択ユニットは、再選択のために最上位の除外されていないセルを選択するようさらに構成されることを特徴とする請求項７に記載のＷＴＲＵ。
【請求項１３】
前記複数のパラメータの各々は、優先順位を割り当てられ、
前記セルランク付けユニットは、前記パラメータに関連付けられている前記セルの前記割り当てられた優先順位に基づいて、前記複数のパラメータの各々をスケーリングするよう構成されることを特徴とする請求項７に記載のＷＴＲＵ。
【請求項１４】
セルにおけるキャンプの許可の指示を含むシステム情報メッセージを受信するステップと、
前記セルにおけるキャンプの許可が与えられないという条件のとき、前記セルをブラックリストに追加するステップと、
再選択のためにセルをランク付けするとき、前記ブラックリストを参照するステップと、
セルの再選択を行うとき、前記ブラックリストに含まれるセルを除外するステップと、
除外されないセルに基づいて、セルのランク付けを作成するステップと
を備えたことを特徴とするセル再選択のための方法。
【請求項１５】
再選択のために最高位の除外されていないセルを選択するステップをさらに備えたことを特徴とする請求項１４に記載の方法。
【国際調査報告】
2010521876.tif 000013
2010521876.tif 000014
2010521876.tif 000015
2010521876.tif 000016